(57)【要約】【課題】無線信号を受信する複数の受信用アンテナと接続され、かかる複数の受信用アンテナの性能検査を迅速に行える受信装置を実現すること。【解決手段】複数接続された受信用アンテナ２ａ〜２ｈのいずれかを選択するアンテナ選択ユニット４と、アンテナ選択ユニット４によって選択された受信用アンテナ２を介して受信された無線信号に対して復調処理等を行うＲＦ受信ユニット５と、復調処理等が施された信号に対して所定の処理を行う信号処理ユニット６と、記憶ユニット８と、リアルタイム出力部９とを備える。被検体内導入装置から送信された無線信号を受信する際には記憶ユニット８を介して処理された信号が外部に出力され、受信用アンテナの性能検査時にはリアルタイム出力部９を介して外部に出力される。【選択図】        図１
2005218704.tif 000002
【特許請求の範囲】
【請求項１】
複数のアンテナ手段と接続された状態で使用され、被検体内部に導入される被検体内導入装置より送信される無線信号を、前記アンテナ手段を経由して受信し、受信した無線信号に対して所定の処理を行う受信装置であって、
前記アンテナ手段を介して受信された無線信号に対して所定の処理を行う信号処理手段と、
前記被検体内導入装置から前記無線信号が送信された際に、受信した前記無線信号に対して前記信号処理手段による所定の処理が施されたものを記録媒体に対して出力する記録手段と、
前記複数のアンテナ手段の性能検査を行う際に、外部より送信されて前記アンテナ手段を介して受信された検査用の無線信号に対して前記信号処理手段による所定の処理が施されたものをリアルタイムに出力するリアルタイム出力手段と、
を備えたことを特徴とする受信装置。
【請求項２】
複数のアンテナ手段と接続された状態で使用され、被検体内部に導入される被検体内導入装置より送信される無線信号を、前記アンテナ手段を経由して受信し、受信した無線信号に対して所定の処理を行う受信装置であって、
前記アンテナ手段を介して受信された無線信号に対して所定の処理を行う信号処理手段と、
前記被検体内導入装置から前記無線信号が送信された際に、受信した前記無線信号に対して前記信号処理手段による所定の処理が施されたものを記録媒体に対して出力する記録手段と、
前記複数のアンテナ手段の性能検査を行う際に、外部より送信されて前記アンテナ手段を介して受信された検査用の無線信号の各アンテナ手段における受信内容をリアルタイムに表示するリアルタイム表示手段と、
を備えたことを特徴とする受信装置。
【請求項３】
前記被検体内導入装置から前記無線信号が送信された際に複数の中から受信に適した前記アンテナ手段を選択する受信アンテナ選択手段と、
前記複数のアンテナ手段の性能検査を行う際に、複数の前記アンテナ手段のそれぞれを順次選択する逐次アンテナ選択手段と、
をさらに備えたことを特徴とする請求項１または２に記載の受信装置。
【請求項４】
前記受信アンテナ選択手段は、受信される無線信号の受信強度が最も高い前記アンテナ手段を適宜選択し、
前記逐次アンテナ選択手段は、前記アンテナ手段を介して受信される無線信号の受信強度にかかわらず、複数の前記アンテナ手段のそれぞれを順次選択することを特徴とする請求項３に記載の受信装置。
【請求項５】
前記複数のアンテナ手段に対する性能検査を行う際に、検査用の無線信号を生成する検査用信号生成手段と、
前記複数のアンテナ手段に対する性能検査を行う際に、前記複数のアンテナ手段の中から、前記検査用の無線信号を送信するアンテナ手段を選択する送信アンテナ選択手段と、
前記複数のアンテナ手段に対する性能検査を行う際に、前記送信アンテナ選択手段を除く複数の前記アンテナ手段を順次選択する受信アンテナ逐次選択手段と、
をさらに備えたことを特徴とする請求項１または２に記載の受信装置。
【請求項６】
前記受信アンテナ選択手段は、受信される無線信号の受信強度が最も高い前記アンテナ手段を適宜選択し、
前記受信アンテナ逐次選択手段は、前記アンテナ手段を介して受信される無線信号の受信強度にかかわらず、複数の前記アンテナ手段のそれぞれを順次選択することを特徴とする請求項５に記載の受信装置。
【請求項７】
前記検査用の無線信号は、あらかじめ設定された所定の固定パターンを有する固定パターン信号を含むことを特徴とする請求項１、２または５に記載の受信装置。
【請求項８】
前記検査用の無線信号は、前記被検体内導入装置より送信される無線信号と同様の信号パターンを含むことを特徴とする請求項１、２または５に記載の受信装置。
【請求項９】
前記検査用の無線信号は、所定の被写体を撮像する撮像手段から出力される所定のパターンを有する画像信号を含むことを特徴とする請求項８に記載の受信装置。
【請求項１０】
前記被検体内導入装置は、前記被検体内部を撮像する撮像手段を有すると共に前記被検体内導入装置より送信される無線信号は、前記撮像手段によって生成された画像信号を含み、
前記検査用の無線信号は、前記撮像手段とは異なる撮像手段によって生成された画像信号を含むことを特徴とする請求項９に記載の受信装置。
【発明の詳細な説明】
【技術分野】
【０００１】
本発明は、複数のアンテナ手段と接続された状態で使用され、被検体内部に導入される被検体内導入装置より送信される無線信号を、前記アンテナ手段を経由して受信し、受信した無線信号に対して所定の処理を行う受信装置に関するものである。
【背景技術】
【０００２】
近年、内視鏡の分野においては、飲込み型のカプセル型内視鏡が登場している。このカプセル型内視鏡には、撮像機能と無線通信機能とが設けられている。カプセル型内視鏡は、観察（検査）のために患者の口から飲込まれた後、人体から自然排出されるまでの間、体腔内、例えば胃、小腸などの臓器の内部をその蠕動運動に従って移動し、順次撮像する機能を有する。
【０００３】
体腔内を移動する間、カプセル型内視鏡によって体内で撮像された画像データは、順次無線通信により外部に送信され、外部に設けられた受信用アンテナを介して受信される。そして、受信した無線信号に基づいて被検体の外部に設けられた受信装置によってデータが再生されることによって、患者の体腔内画像を取得することが可能である。患者がこの無線通信機能とメモリ機能とを備えた受信装置を携帯することにより、患者は、カプセル型内視鏡を飲み込んだ後、排出されるまでの期間であっても、自由に行動できる。この後、医者もしくは看護士においては、メモリに蓄積された画像データに基づいて臓器の画像をディスプレイに表示させて診断を行うことができる（例えば、特許文献１参照。）。
【０００４】
ここで、カプセル型内視鏡は体腔内で順次移動しつつ無線信号を出力することから、カプセル型内視鏡システムは、カプセル型内視鏡から出力される無線信号を受信する受信用アンテナを被検体近傍、例えば被検体の表面上に複数備えた構成を有することが一般的である。従って、従来のカプセル型内視鏡システムは、各受信用アンテナにおける受信強度に応じて最も受信に適した受信用アンテナ、通常は最も受信強度の高い受信用アンテナを選択して無線信号を受信することが可能であって、良好な受信感度を維持しつつ体腔内画像を取得することができる。
【０００５】
ところで、受信用アンテナが断線等によってその機能を果たせない場合には、カプセル型内視鏡によって取得された体腔内画像を取得することができなくなる。従って、一般的なカプセル型内視鏡システムでは、所定期間経過ごとまたはカプセル型内視鏡を被検体内に導入する前に、受信用アンテナの故障等の有無を確認する必要がある。
【０００６】
受信用アンテナの性能検査は、例えば、受信用アンテナを装備した状態で受信装置を駆動させ、カプセル型内視鏡から送信される無線信号と等しい周波数のダミー信号を受信用アンテナに対して送信する。送信されたダミー信号は、受信用アンテナを介して受信装置に入力されることから、受信装置によって検出される受信レベルが所定の閾値よりも高いか否かを判定することによって、受信用アンテナの故障の有無を検出することとしている。
【０００７】
【特許文献１】特開２００１−２３１１８６号公報（第３頁、図１）
【発明の開示】
【発明が解決しようとする課題】
【０００８】
しかしながら、従来のカプセル型内視鏡システムは、被検体外部に複数の受信用アンテナを備えることとした場合に、受信用アンテナの性能検査を迅速に行うことが困難であるという課題を有する。以下、かかる課題について説明する。
【０００９】
一般に、被検体内情報取得システムを用いて被検体内部の情報を取得する場合には、被検体内導入装置が導入された後に体外に排出されるまでに要する時間が例えば１０時間以上となる。かかる時間に渡って外部モニタ等との間で有線接続によるリアルタイム出力を行うこととした場合、被検体内導入装置が導入される被験者の行動の自由度は長時間に渡って拘束されることとなる。また、無線接続によってリアルタイム出力を行う構成とした場合には、長時間に渡って外部モニタ等に対して受信装置が無線送信を行う必要性が生じることから、駆動電力等の観点から妥当ではない。さらには、医師による診断等は、被検体内導入装置によって得られた情報を総合的に判断するのが通常であることから、被検体内導入装置によって取得された情報をリアルタイムに出力する必要性に乏しい。
【００１０】
以上のことから、一般的な受信装置では、被検体内導入装置から出力された情報をリアルタイムに出力する構成は採用されていない。具体的には、一般的な受信装置では、例えば被検体内導入装置が被検体内に留まっている間は携帯型記録媒体に情報を記録し、被検体内導入装置が被検体外に排出された後に携帯型記録媒体を受信装置から取り外して外部モニタ等に装着することによって情報を伝達する構成を有する。
【００１１】
しかしながら、かかる構成を採用した受信装置では、接続される受信用アンテナの性能検査を迅速に行えないという問題が新たに生じる。すなわち、携帯型記録媒体を介して外部に検査結果を出力する構成とした場合には、受信用アンテナの性能検査を行うたびに携帯型記録媒体の出し入れを行う必要があり、性能検査を迅速に行うことは困難となる。
【００１２】
本発明は、上記に鑑みてなされたものであって、カプセル型内視鏡等の被検体内導入装置から送信される無線信号を受信する複数の受信用アンテナと接続され、かかる複数の受信用アンテナの性能検査を迅速に行うことが可能な受信装置を実現することを目的とする。
【課題を解決するための手段】
【００１３】
上述した課題を解決し、目的を達成するために、請求項１にかかる受信装置は、複数のアンテナ手段と接続された状態で使用され、被検体内部に導入される被検体内導入装置より送信される無線信号を、前記アンテナ手段を経由して受信し、受信した無線信号に対して所定の処理を行う受信装置であって、前記アンテナ手段を介して受信された無線信号に対して所定の処理を行う信号処理手段と、前記被検体内導入装置から前記無線信号が送信された際に、受信した前記無線信号に対して前記信号処理手段による所定の処理が施されたものを記録媒体に対して出力する記録手段と、前記複数のアンテナ手段の性能検査を行う際に、外部より送信されて前記アンテナ手段を介して受信された検査用の無線信号に対して前記信号処理手段による所定の処理が施されたものをリアルタイムに出力するリアルタイム出力手段とを備えたことを特徴とする。
【００１４】
この請求項１の発明によれば、被検体内導入装置から送信された無線信号に関して携帯型記録媒体に対して出力手段と、アンテナ手段の性能検査を行う際にはリアルタイムで出力するリアルタイム出力手段とを備えることとしたため、使用態様に応じて適切な出力態様を備えることとなり、特にアンテナ手段の性能検査を行う際には、受信した検査用の無線信号に対応したデータをリアルタイムに出力することが可能であるため、迅速な性能検査を行うことが可能である。
【００１５】
また、請求項２にかかる受信装置は、複数のアンテナ手段と接続された状態で使用され、被検体内部に導入される被検体内導入装置より送信される無線信号を、前記アンテナ手段を経由して受信し、受信した無線信号に対して所定の処理を行う受信装置であって、前記アンテナ手段を介して受信された無線信号に対して所定の処理を行う信号処理手段と、前記被検体内導入装置から前記無線信号が送信された際に、受信した前記無線信号に対して前記信号処理手段による所定の処理が施されたものを記録媒体に対して出力する記録手段と、前記複数のアンテナ手段の性能検査を行う際に、外部より送信されて前記アンテナ手段を介して受信された検査用の無線信号の各アンテナ手段における受信内容をリアルタイムに表示するリアルタイム表示手段とを備えたことを特徴とする。
【００１６】
この請求項２の発明によれば、被検体内導入装置から送信された無線信号に関して携帯型記録媒体に対して出力手段と、アンテナ手段の性能検査を行う際には検査用の無線信号に対応したデータをリアルタイムで表示するリアルタイム表示手段とを備えることとしたため、使用態様に応じて適切な出力態様を備えることとなり、特にアンテナ手段の性能検査を行う際には、受信した検査用の無線信号に対応したデータをリアルタイムに表示することから、迅速な性能検査を行うことができる。
【００１７】
また、請求項３にかかる受信装置は、上記の発明において、前記被検体内導入装置から前記無線信号が送信された際に複数の中から受信に適した前記アンテナ手段を選択する受信アンテナ選択手段と、前記複数のアンテナ手段の性能検査を行う際に、複数の前記アンテナ手段のそれぞれを順次選択する逐次アンテナ選択手段とをさらに備えたことを特徴とする。
【００１８】
また、請求項４にかかる受信装置は、上記の発明において、前記受信アンテナ選択手段は、受信される無線信号の受信強度が最も高い前記アンテナ手段を適宜選択し、前記逐次アンテナ選択手段は、前記アンテナ手段を介して受信される無線信号の受信強度にかかわらず、複数の前記アンテナ手段のそれぞれを順次選択することを特徴とする。
【００１９】
また、請求項５にかかる受信装置は、上記の発明において、前記複数のアンテナ手段に対する性能検査を行う際に、検査用の無線信号を生成する検査用信号生成手段と、前記複数のアンテナ手段に対する性能検査を行う際に、前記複数のアンテナ手段の中から、前記検査用の無線信号を送信するアンテナ手段を選択する送信アンテナ選択手段と、前記複数のアンテナ手段に対する性能検査を行う際に、前記送信アンテナ選択手段を除く複数の前記アンテナ手段を順次選択する受信アンテナ逐次選択手段とをさらに備えたことを特徴とする。
【００２０】
また、請求項６にかかる受信装置は、上記の発明において、前記受信アンテナ選択手段は、受信される無線信号の受信強度が最も高い前記アンテナ手段を適宜選択し、前記受信アンテナ逐次選択手段は、前記アンテナ手段を介して受信される無線信号の受信強度にかかわらず、複数の前記アンテナ手段のそれぞれを順次選択することを特徴とする。
【００２１】
また、請求項７にかかる受信装置は、上記の発明において、前記検査用の無線信号は、あらかじめ設定された所定の固定パターンを有する固定パターン信号を含むことを特徴とする。
【００２２】
また、請求項８にかかる受信装置は、上記の発明において、前記検査用の無線信号は、前記被検体内導入装置より送信される無線信号と同様の信号パターンを含むことを特徴とする。
【００２３】
また、請求項９にかかる受信装置は、上記の発明において、前記検査用の無線信号は、所定の被写体を撮像する撮像手段から出力される所定のパターンを有する画像信号を含むことを特徴とする。
【００２４】
また、請求項１０にかかる受信装置は、上記の発明において、前記被検体内導入装置は、前記被検体内部を撮像する撮像手段を有すると共に前記被検体内導入装置より送信される無線信号は、前記撮像手段によって生成された画像信号を含み、前記検査用の無線信号は、前記撮像手段とは異なる撮像手段によって生成された画像信号を含むことを特徴とする。
【発明の効果】
【００２５】
本発明にかかる受信装置は、被検体内導入装置から送信された無線信号に関して携帯型記録媒体に対して出力手段と、アンテナ手段の性能検査を行う際にはリアルタイムで出力するリアルタイム出力手段とを備えることとしたため、使用態様に応じて適切な出力態様を備えることとなり、特にアンテナ手段の性能検査を行う際には、受信した検査用の無線信号に対応したデータをリアルタイムに出力することが可能であるため、迅速な性能検査を行えるという効果を奏する。
【００２６】
また、本発明にかかる受信装置は、被検体内導入装置から送信された無線信号に関して携帯型記録媒体に対して出力手段と、アンテナ手段の性能検査を行う際には検査用の無線信号に対応したデータをリアルタイムで表示するリアルタイム表示手段とを備えることとしたため、使用態様に応じて適切な出力態様を備えることとなり、特にアンテナ手段の性能検査を行う際には、受信した検査用の無線信号に対応したデータをリアルタイムに表示することから、迅速な性能検査を行えるという効果を奏する。
【発明を実施するための最良の形態】
【００２７】
以下、この発明を実施するための最良の形態である受信装置および無線型被検体内情報取得システムについて説明する。なお、図面は模式的なものであり、各部分の厚みと幅との関係、それぞれの部分の厚みの比率などは現実のものとは異なることに留意すべきであり、図面の相互間においても互いの寸法の関係や比率が異なる部分が含まれていることはもちろんである。
【００２８】
（実施の形態１）
まず、実施の形態１にかかる受信装置について説明する。本実施の形態１にかかる受信装置は、被検体内に導入され、被検体内部において所定の機能を実行する被検体内導入装置から出力される無線信号を、受信用アンテナを介して受信し、受信した無線信号に対して所定の信号処理を行う機能を有する。また、本実施の形態１にかかる受信装置は、受信用アンテナの性能検査時に受信用アンテナを適宜選択すると共に選択した受信用アンテナを介して受信された無線信号に所定の処理を施してリアルタイムに外部へ出力する機能を有する。以下では、本実施の形態１にかかる受信装置の構成について説明した後、それぞれの機能について図面を参照しつつ説明する。
【００２９】
図１は、本実施の形態にかかる受信装置の構成を示すブロック図である。図１に示すように、本実施の形態１にかかる受信装置１は、受信用アンテナ２ａ〜２ｈおよび給電用アンテナ３ａ〜３ｎと接続された状態で使用される。
【００３０】
受信用アンテナ２ａ〜２ｈは、特許請求の範囲におけるアンテナ手段の一例として機能するものである。具体的には、受信用アンテナ２ａ〜２ｈは受信装置１と電気的に接続された状態で使用されるものであり、使用時に被検体の体表面上に配置され、被検体内導入装置が被検体内に導入されている間、被検体内導入装置から送信される無線信号を受信するためのものである。具体的には、受信用アンテナ２ａ〜２ｈは、それぞれが例えばループアンテナと、ループアンテナを被検体に対して固定するための固着手段と、ループアンテナとの間で共振回路を形成するコンデンサとによって構成されている。なお、本実施の形態１では、一例として８個の受信用アンテナ２ａ〜２ｈを備えることとしたが、受信用アンテナ２の個数については特に限定して解釈する必要はなく、複数であれば任意の個数の受信用アンテナ２を用いることとして良い。
【００３１】
給電用アンテナ３ａ〜３ｎは、受信用アンテナ２ａ〜２ｈと同様に、受信装置１と電気的に接続された状態で使用されるものである。具体的には、受信装置１内で生成された無線信号を被検体内導入装置に対して送信するためのものであり、被検体内導入装置に対して駆動電力等を供給する機能を有する。
【００３２】
次に、受信装置１の構成について説明する。受信装置１は、図１に示すように、受信アンテナ選択部４ａおよび逐次アンテナ選択部４ｂを内包し、複数接続された受信用アンテナ２ａ〜２ｈのいずれかを選択するアンテナ選択ユニット４と、アンテナ選択ユニット４によって選択された受信用アンテナ２を介して受信された無線信号に対して復調処理等を行うＲＦ受信ユニット５と、復調処理等が施された信号に対して所定の処理を行う信号処理ユニット６と、アンテナ選択ユニット４と信号処理ユニット６の動作モードを切り替えるモード切替スイッチ７とを備える。また、受信装置１は、信号処理ユニット６によって処理された信号を外部に出力する記憶ユニット８およびリアルタイム出力部９を備える。
【００３３】
アンテナ選択ユニット４は、受信用アンテナ２ａ〜２ｈのいずれかを選択するためのものである。具体的には、内部に備える受信アンテナ選択部４ａおよび逐次アンテナ選択部４ｂを、動作モードに応じて適宜切り替えて動作する構成を有する。
【００３４】
受信アンテナ選択部４ａは、受信装置が被検体内導入装置から送信される無線信号の受信動作を行う際に受信用アンテナ２ａ〜２ｈの中から受信に適切なものを選択するためのものである。後述するように、受信用アンテナ２ａ〜２ｈは被検体に対して固定される一方、被検体内導入装置は被検体内を順次移動する構成を有する。従って、被検体内導入装置の移動に伴い、無線信号の受信に適した受信用アンテナ２は、複数の受信用アンテナ２ａ〜２ｈの中で順次入れ替わることとなる。
【００３５】
従って、本実施の形態１にかかる受信装置１は、被検体内導入装置に対して常に最適な受信用アンテナ２を介して無線信号を受信することを可能とするために、受信アンテナ選択部４ａによって受信用アンテナ２ａ〜２ｈの中から受信用アンテナを選択することとしている。具体的には、受信アンテナ選択部４ａは、受信用アンテナ２ａ〜２ｈを介してそれぞれ受信された無線信号の強度を比較する機能を有する。そして、最も強度の高い無線信号を受信した受信用アンテナ２を選択し、選択した受信用アンテナ２を介して受信された無線信号をＲＦ受信ユニット５に対して出力する機能を有する。なお、受信アンテナ選択部の動作アルゴリズムとしては、強度比較の他に、例えば被検体内導入装置の位置検出機構を用いて、被検体内導入装置に最も近接して配置された受信用アンテナ２を選択することとしても良いし、これら以外の他のアルゴリズムを用いることとしても良い。
【００３６】
逐次アンテナ選択部４ｂは、受信用アンテナ２ａ〜２ｈの性能検査を行う際に、受信用アンテナ２ａ〜２ｈを順次選択するためのものである。具体的には、逐次アンテナ選択部４ｂは、受信アンテナ選択部４ａと異なるアルゴリズムによって受信用アンテナ２の選択を逐次的に行う機能を有する。より具体的には、逐次アンテナ選択部４ｂは、受信用アンテナ２ａ〜２ｈについて、それぞれで受信される無線信号の強度に関わらず、順次一つの受信用アンテナ２を選択し、選択した受信用アンテナ２によって受信された無線信号をＲＦ受信ユニット５に出力すると共に、選択している受信用アンテナ２の識別情報をリアルタイム出力部９に対して出力する機能を有する。
【００３７】
モード切替スイッチ７は、受信装置１の動作態様を、被検体内導入装置から送信される無線信号の受信処理動作と、受信用アンテナ２ａ〜２ｈの性能検査動作との間で切り替えるためのものである。具体的には、モード切替スイッチ７は、例えばユーザによって動作モードが入力される構成を有し、入力された動作モード情報をアンテナ選択ユニット４および信号処理ユニット６に出力する機能を有する。モード切替スイッチ７によって出力された動作モードに応じて、アンテナ選択ユニットは受信アンテナ選択部４ａと逐次アンテナ選択部４ｂとを切り替え、信号処理ユニット６は出力先として記憶ユニット８とリアルタイム出力部９とを切り替えることとなる。
【００３８】
記憶ユニット８は、被検体内導入装置から送信され、受信用アンテナ２ａ〜２ｈを介して受信された無線信号に基づいて生成された所定の情報、例えば体腔内画像を記憶するためのものである。具体的には、記憶ユニット８は、記録媒体の一つである、例えば後述する携帯型記録媒体１８に対してデータを出力して記録させる記録手段としての機能を有する。
【００３９】
リアルタイム出力部９は、受信用アンテナ２ａ〜２ｈの性能検査時に、検査対象となる受信用アンテナを介して受信された信号をリアルタイムに出力するためのものである。具体的には、リアルタイム出力部９は、信号処理ユニット６によって処理された無線信号と、アンテナ選択ユニット４からアンテナの選択情報とが入力される構成を有し、これらの情報をリアルタイムに外部に出力する機能を有する。
【００４０】
また、本実施の形態１にかかる受信装置１は、上記した受信機構の他に、被検体内導入装置に対して給電用アンテナ３ａ〜３ｎを介して送信される無線信号を生成する機能を有する。かかる機能を実現するため、本実施の形態１にかかる受信装置１は、給電用信号を生成すると共に送信する無線信号の発振周波数を規定する発振器１０と、被検体内導入装置の駆動を制御するためのコントロール情報を入力してコントロール情報信号を生成するコントロール情報入力ユニット１１と、給電用信号とコントロール信号とを重畳する重畳回路１２と、重畳された信号を増幅する増幅回路１３とを備える。増幅回路１３で増幅された信号は、給電用アンテナ３ａ〜３ｎに送られ、給電用アンテナ３ａ〜３ｎを介してカプセル型内視鏡１６に対して送信される。
【００４１】
さらに、受信装置１は、上述した各構成要素を駆動するための電力供給ユニット１４を備える。なお、電力供給ユニットは、蓄電池等を内蔵して各構成要素に分配する構成としても良いし、外部に設けられた蓄電池等から供給される電力を各構成要素に分配する構成のみを備えることとしても良い。
【００４２】
次に、受信装置１を用いて構成される被検体内情報取得システムについて説明する。図２は、本実施の形態１にかかる受信装置を含む被検体内情報取得システムの構成および使用態様について示す模式図である。図２に示すように、被検体内情報取得システムでは、受信装置１は被検体１５に付属した状態で使用され、受信装置１と接続された受信用アンテナ２ａ〜２ｈは、被検体１５の体表面上にそれぞれ互いが所定間隔だけ離れて貼り付けられた状態で使用される。なお、図２において図示を省略したが、給電用アンテナ３ａ〜３ｎについても、受信用アンテナ２ａ〜２ｈと同様に被検体１５の体表面上にそれぞれ貼り付けられた状態で使用される。また、被検体内情報取得システムは、これらの構成要素の他に、被検体１５内に導入される被検体内導入装置の一例たるカプセル型内視鏡１６と、カプセル型内視鏡１６によって撮像された被検体１５内の画像を表示する表示装置１７と、受信装置１と表示装置１７との間の情報の受け渡しを行うための携帯型記録媒体１８とを備える。
【００４３】
カプセル型内視鏡１６は、被検体１５内に導入される被検体内導入装置として機能するものである。カプセル型内視鏡１６は、例えば被検体１５内部を撮像する撮像素子等の所定機能実行手段を備えると共に、所定機能実行手段によって取得した被検体１５に関する情報を外部に送信する無線送信手段を備えた構成を有する。なお、本実施の形態１では、既に述べたように受信装置１が給電用信号を含む無線信号を生成し、給電用アンテナ３ａ〜３ｎを介して無線送信される構成を有することから、給電用信号を受信する受信機構と、受信した給電用信号を電力として再生する電力機構と、再生した電力を蓄積する蓄電機構とを備える。
【００４４】
表示装置１７は、カプセル型内視鏡１６によって取得された被検体１５内の画像等を表示するためのものであり、携帯型記録媒体１８を介して供給されるデータに基づいて画像表示を行うワークステーション等のような構成を有する。具体的には、表示装置１７は、ＣＲＴディスプレイ、液晶ディスプレイ等によって直接画像を表示する構成としても良いし、プリンタ等のように、他の媒体に画像を出力する構成としても良い。
【００４５】
携帯型記録媒体１８は、受信装置１および表示装置１７に対して着脱可能であって、両者に対する装着時に情報の出力および記録が可能な構造を有する。具体的には、携帯型記録媒体１８は、カプセル型内視鏡１６が被検体１５の体腔内を移動している間は受信装置１に装着されてカプセル型内視鏡１６の位置に関する情報を記録する。具体的には、受信装置１に備わる記憶ユニット８に対して装着し、記憶ユニット８を介して情報の取得を行う。そして、携帯型記録媒体１８は、カプセル型内視鏡１６が被検体１５から排出された後に受信装置１から取り出されて表示装置１７に装着され、記録したデータが表示装置１７によって読み出される構成を有する。受信装置１と表示装置１７との間のデータの受け渡しをコンパクトフラッシュ（登録商標）メモリ等の携帯型記録媒体１８によって行うことで、受信装置１と表示装置１７との間が有線接続された場合と異なり、カプセル型内視鏡１６が被検体１５内部を移動中であっても、被検体１５が自由に行動することが可能となる。
【００４６】
図２に示す被検体内情報取得システムの動作について簡単に説明する。図２に示すように、被検体内導入装置の１態様たるカプセル型内視鏡１６は、被検体１５の口を介して被検体１５内に導入される。カプセル型内視鏡１６は、被検体１５に導入された後、口腔から食道、胃、小腸、大腸へと順次移動することから、移動に伴い被検体１５内の各部位の画像データを取得すると共に取得した画像データに基づいて無線信号を生成し、生成した無線信号を被検体１５の外部に対して送信する。
【００４７】
送信された無線信号は、受信装置１に接続された受信用アンテナ２ａ〜２ｈのいずれかを介して受信されることとなる。受信装置１では、モード切替スイッチ７によってアンテナ選択ユニット４内に備わる受信アンテナ選択部４ａが駆動し、受信用アンテナ２ａ〜２ｈのうち、カプセル型内視鏡１６から送信された無線信号の受信強度が最も高いものが選択され、選択された受信用アンテナ２を介して無線信号がＲＦ受信ユニット５、信号処理ユニット６へと順次出力される。信号処理ユニット６は、モード切替スイッチ７の制御を受けて出力先を記憶ユニット８へと切り替えていることから、信号処理ユニット６による所定の処理が終了した信号は、記憶ユニット８を介して携帯型記録媒体１８に記録される。
【００４８】
受信装置１による上記の動作は、カプセル型内視鏡１６が被検体１５の外部に排出されるまで繰り返し行われる。カプセル型内視鏡１６が被検体１５の外部に排出された後には、携帯型記録媒体１８は、受信装置１から外されて表示装置１７に対して装着される。受信装置１が上記の動作を繰り返し行った結果、携帯型記録媒体１８には、カプセル型内視鏡１６が通過した領域の画像データが蓄積されている。従って、表示装置１７は、携帯型記録媒体１８に記録された画像データを読み込むことによって、被検体１５の体腔内画像を視覚的に表示する。以上で、被検体内情報取得システムの動作は完了する。
【００４９】
次に、本実施の形態１における受信装置１を用いて行われる受信用アンテナ２ａ〜２ｈの性能検査について説明する。上述したように、受信用アンテナ２ａ〜２ｈは、被検体内導入装置たるカプセル型内視鏡１６から送信される無線信号を受信するために不可欠なものであり、受信用アンテナ２ａ〜２ｈが断線等によってその機能を発揮し得ない場合には、被検体１５内にカプセル型内視鏡１６を導入しても何の情報も得られないこととなる。従って、通常の被検体内情報取得システムにおいては、カプセル型内視鏡１６を被検体１５内に導入する前等に受信用アンテナ２ａ〜２ｈの性能検査を行い、その機能に問題が無いことを確認した上で使用することとしている。
【００５０】
図３は、受信用アンテナ２ａ〜２ｈの性能検査時における検査システムの構成および検査の態様について示す模式図である。具体的には、検査システムは、図３に示すように、受信用アンテナ２ａ〜２ｈと接続された受信装置１と、受信装置１と接続されたモニタ装置２０と、受信用アンテナ２ａ〜２ｈに対して、検査用のダミー信号を送信するダミー信号送信装置２１とによって構成される。
【００５１】
上述したように、受信用アンテナ２ａ〜２ｈの性能検査を行う場合には、モード切替スイッチ７からの指示に基づき逐次アンテナ選択部４ｂが駆動し、信号処理ユニット６は出力先をリアルタイム出力部９に切り替えている。従って、図３に示すように、性能検査の際には受信用アンテナ２ａ〜２ｈは逐次アンテナ選択部４ｂと接続され、信号処理ユニット６は生成したデータをリアルタイム出力部９に出力する構成となっている。
【００５２】
モニタ装置２０は、リアルタイム出力部９から出力されたデータを表示するためのものである。具体的には、モニタ装置２０は、リアルタイム出力部９から出力されたデータを入力するための入力部２２と、入力されたデータに対して所定の処理を行い、表示可能な画像データを出力する信号処理部２３と、信号処理部２３から出力されたデータを表示する表示部２４とを備える。なお、モニタ装置２０としては、受信用アンテナ２ａ〜２ｈの性能検査に使用するための専用品を用いることとしても良いが、ＰＣ等の汎用品をモニタ装置２０として用いることとしても良い。
【００５３】
ダミー信号送信装置２１は、性能検査時に受信用アンテナ２ａ〜２ｈに対して検査用無線信号であるダミー信号を送信する検査用信号送信手段として機能するものである。ダミー信号送信装置２１から送信されるダミー信号は、ノイズと区別しうる特定パターンを有する信号であれば任意のものを用いることが可能であるが、本実施の形態１では、性能検査時に使用するダミー信号としてカプセル型内視鏡１６から送信される無線信号と同様に画像情報を含む無線信号を用いることとする。従って、本実施の形態１では、モニタ装置２０に備わる表示部２４は、無線信号を受信した受信用アンテナを特定するための情報と共に、所定の画像パターンを表示することとなる。なお、ダミー信号送信装置２１をカプセル型内視鏡１６と別個独立に設けるのではなく、カプセル型内視鏡１６自体をダミー信号送信装置２１として機能させても良いし、カプセル型内視鏡１６とは別に設けられた、ダミー信号送信機能を備えるカプセル型内視鏡（図示省略）をダミー信号送信装置２１として受信用アンテナの性能検査を行うこととしても良い。
【００５４】
検査システムの動作について説明する。図３にも示すように、性能検査時には、受信用アンテナ２ａ〜２ｈは一カ所にまとめられた状態で配置され、受信用アンテナ２ａ〜２ｈのいずれについてもダミー信号送信装置２１から送信されるダミー信号を受信可能な位置に配置されている。一方で、受信装置１内では逐次アンテナ選択部４ｂが駆動し、逐次アンテナ選択部４ｂによって受信用アンテナ２ａ〜２ｈが順次選択されることとなる。例えば、逐次アンテナ選択部４ｂは、受信用アンテナ２ａ〜２ｈのうち、受信用アンテナ２ａを選択し、受信用アンテナ２ａを介して受信されたダミー信号をＲＦ受信ユニット５に対して出力し、ＲＦ受信ユニット５における処理の後、信号処理ユニット６によって所定の信号処理が行われてリアルタイム出力部９に対して出力される。
【００５５】
また、逐次アンテナ選択部４ｂは、自己が選択している受信用アンテナ２ａの識別情報をリアルタイム出力部９に出力する。従って、リアルタイム出力部９には、受信用アンテナ２ａを介して受信されたダミー信号の内容に対応した信号と、逐次アンテナ選択部４ｂによって選択されたのは受信用アンテナ２ａであるという識別情報とが入力され、これらが合成された状態でモニタ装置２０に対して出力される。モニタ装置２０は、リアルタイム出力部９を介して出力された信号を、入力部２２を介して入力し、信号処理部２３による処理を経て表示部２４によって表示する。上述のようにリアルタイム出力部９から出力されるデータには、受信したダミー信号と、ダミー信号の受信に用いられた受信用アンテナ２ａの識別情報とが含まれることから、表示部２４には、受信したダミー信号に応じた画像と、かかる画像が受信用アンテナ２ａを介して受信された旨のデータとが表示されることとなる。
【００５６】
逐次アンテナ選択部４ｂは、受信強度に関わらず受信用アンテナ２ａ〜２ｈを順次選択する機能を有することから、受信用アンテナ２ａに関する性能検査が終了した後、受信用アンテナ２ｂ、２ｃ、・・・について上記した内容と同様の性能検査を順次行うこととなる。このため、図３に示す検査システムでは、受信用アンテナ２に関して検査漏れが生じること無く、すべての受信用アンテナ２ａ〜２ｈについて性能検査が確実に行われることとなる。
【００５７】
例えば、従来のように、被検体内導入装置からの無線信号の受信と同様のアンテナ選択アルゴリズムによって性能検査時における受信用アンテナ２を選択した場合には、最も受信強度の高い受信用アンテナ２のみが選択され、他の受信用アンテナ２が全く選択されず、十分な性能検査が行えないという問題が生じていた。しかしながら、本実施の形態１にかかる受信装置１は、アンテナ選択ユニット４において性能検査時に駆動する逐次アンテナ選択部４ｂを備えることとしたため、性能検査時に、各受信用アンテナ２における受信強度とは無関係に順次アンテナ選択が行われることとしている。従って、図３に示すように受信用アンテナ２ａ〜２ｈのいずれもがダミー信号送信装置２１から送信されるダミー信号を受信可能な状態で配置した場合であっても、受信用アンテナ２ａ〜２ｈのすべてについて確実に性能検査を行うことが可能である。このため、従来のように検査者が受信用アンテナ２ａ〜２ｈのそれぞれを順次ダミー信号送信装置２１に近づけて性能検査を行う必要が無く、簡易かつ迅速な性能検査を行うことが可能である。
【００５８】
また、本実施の形態１にかかる受信装置１は、図２に示す被検体内情報取得システムの一部として使用する場合のみならず、性能検査時にも受信した無線信号に対して所定の処理を行う機能を有する。従って、性能検査時に信号処理機能を有する装置を別途用意する必要はなく、簡易な構成によって検査システムを構築することが可能である。さらに、受信装置１を性能検査時にも使用する構成とすることによって、受信用アンテナ２ａ〜２ｈの性能検査が、実際の使用態様を反映した実用的なものとなるという利点も有する。
【００５９】
さらに、本実施の形態１にかかる受信装置１は、ダミー信号に画像データを含むこととし、表示部２４には受信用アンテナ２ａ〜２ｈのいずれかを介して受信されたダミー信号に対応した画像が表示されることとしている。このため、検査者は、性能検査時において、受信用アンテナ２ａ〜２ｈのそれぞれを介した受信状況について視覚的に把握することが可能である。
【００６０】
特に、例えばダミー信号に含まれる画像データが、あらかじめ撮像された被検体１５内の画像に関するものである場合には、性能検査がより実用的なものとなる。すなわち、受信用アンテナ２が完全に断線したような場合には表示部２４に画像が表示されないことから容易に故障したものと判定することが可能だが、例えば理想的な状態とは異なるものの、表示部２４上にある程度鮮明な画像が表示されるような場合、どの程度のレベルで受信用アンテナ２が不良であると判定することは容易ではない。しかしながら、被検体内画像に対応した画像データを含むダミー信号を用いた場合には、例えば医師、看護士等が、表示部２４に表示された画像を見て、受信状況が診断に支障を来すレベルであるか否かの判定を容易に行うことが可能である。
【００６１】
また、本実施の形態１にかかる受信装置１は、受信用アンテナ２ａ〜２ｈの性能検査時に、信号処理ユニット６によって処理した信号等を、記憶ユニット８を介して外部に出力するのではなく、リアルタイム出力部９によって出力する構成を採用している。このため、検査者は性能検査の結果をリアルタイムに確認することが可能であり、例えば被検体１５にカプセル型内視鏡１６を導入する直前に性能検査を行うような場合には、性能検査を迅速に行うことが可能である。また、性能検査を行う際には受信装置１および受信用アンテナ２ａ〜２ｈは被検体１５に対して装着されていないことから、外部装置に対してリアルタイムに接続されていた場合であっても、被検体１５の活動の自由度を制約する等の問題を生じることもない。
【００６２】
なお、受信用アンテナ２ａ〜２ｈの性能を検査する検査システムについて、モニタ装置２０とダミー信号送信装置２１とを一体化した構成としても良い。すなわち、図４に示すように、入力部２２、信号処理部２３および表示部２４と、ダミー信号を送信するための機構、すなわちダミー信号生成部２６、送信ユニット２７および送信アンテナ２８とを備えた検査装置２５を用いて検査システムを構成することが可能である。かかる構成を採用した場合には、性能検査時における機器の取り扱いが簡便化するため、受信用アンテナ２ａ〜２ｈの性能検査をより簡易かつ迅速に行うことが可能である。
【００６３】
（実施の形態２）
次に、実施の形態２にかかる受信装置について説明する。本実施の形態２にかかる受信装置は、自己の内部に、受信用アンテナ２ａ〜２ｈの性能検査時に必要となる機構を内包した構成を有し、例えば被検体内情報取得システムの一部として動作している間にも受信用アンテナ２ａ〜２ｈの性能検査を可能とした構成を有する。
【００６４】
図５は、本実施の形態２にかかる受信装置の構成について示すブロック図である。なお、図５に示すように、実施の形態１と共通する構成要素については、符号・名称ともに実施の形態１と同様のものを用いており、以下で特に言及しない限り、実施の形態１と同様の構成・機能を有するものとする。
【００６５】
実施の形態２にかかる受信装置２９は、実施の形態１におけるモード切替スイッチ７に代えてモード切替スイッチ３０を備えると共に、リアルタイム出力部９に代えてリアルタイムに表示動作を行うリアルタイム表示部３４を備える。また、実施の形態２にかかる受信装置２９は、実施の形態１にかかる受信装置１の構成に加えて、ダミー信号を生成するダミー信号生成部３１と、生成したダミー信号に変調処理等を施す送信ユニット３２と、処理が施されたダミー信号を受信用アンテナ２ａ〜２ｈに対して無線送信するための検査用アンテナ３３とを備える。なお、リアルタイム表示部３４は、実施の形態１における表示部２４と同様に、画像表示を行うものとしても良いが、本実施の形態２では、受信装置２９の大型化等を抑制するため、例えば信号処理ユニット６から出力される信号に基づき性能検査の結果を判定する機構と、判定した結果に対応したパターンで表示するＬＥＤ等とによって構成されるものとする。また、モード切替スイッチ３０は、アンテナ選択ユニット４および信号処理ユニット６に対してのみならず、ダミー信号生成部３１に対しても受信装置２９の動作モードに関する情報を出力する機能を有する。
【００６６】
実施の形態１におけるモニタ装置２０、ダミー信号送信装置２１に相当する構成要素を受信装置２９内に備えることによる利点について説明する。既に述べたように、受信用アンテナ２ａ〜２ｈは、カプセル型内視鏡１６等の被検体内導入装置を被検体１５内に導入して使用する際に重要な機能を果たすことから、受信用アンテナ２ａ〜２ｈの性能についてあらかじめ検査を行っておくことが必要である。
【００６７】
しかしながら、受信装置を被検体内情報取得システムの一部として使用する際にも、受信用アンテナ２ａ〜２ｈが断線等を生じる可能性は否定できない。特に、図２にも示したように、受信用アンテナ２ａ〜２ｈは、被検体１５の体表面上に固定された状態で使用されることから、被検体１５の動作によっては、受信用アンテナ２ａ〜２ｈに対して無理な応力が印加され、使用前には問題なくとも、被検体内情報取得システムの一部として使用を開始した後に断線等の不具合を生じる可能性が否定できない。
【００６８】
このため、本実施の形態２では、実施の形態１におけるモニタ装置２０およびダミー信号送信装置２１に対応する構成要素を内包する構成を採用している。そして、かかる構成を採用することによって、受信装置２９を被検体内情報取得システムの一部として使用している間にも受信用アンテナ２ａ〜２ｈの性能検査を行うことを可能としている。
【００６９】
受信装置２９を被検体内情報取得システムの一部として使用した場合、原則的には受信用アンテナ２ａ〜２ｈは、カプセル型内視鏡１６から送信される無線信号の受信に用いられるが、カプセル型内視鏡１６は、無線信号を常に発信し続けるのではなく、所定の空隙期間を有するのが一般的である。かかる空隙期間を利用して、アンテナ選択ユニット４等の駆動状態を切り替えると共に検査用アンテナ３３を介してダミー信号を送信する構成とすることにより、受信装置２９を被検体内情報取得システムの一部として使用している間にも、受信用アンテナ２ａ〜２ｈの性能検査を行うことが可能である。そして、性能検査の結果はリアルタイム表示部３４によってリアルタイムに表示されることから、例えばカプセル型内視鏡１６を体内に導入し、受信装置２９を被検体内情報取得システムの一部として使用する被験者は、性能検査の結果を迅速に把握することが可能であると共に、使用中であっても性能検査の結果に応じて故障した受信用アンテナ２を取り替える等の対処が可能となる。このため、本実施の形態２にかかる受信装置２９は、実施の形態１における利点に加えて、例えば受信用アンテナ２ａ〜２ｈの不良により、複数回カプセル型内視鏡１６を体内に導入する等の不具合を防止することが可能であり、被検体１５の負担が増大することを防止できるという利点を有する。
【００７０】
（実施の形態３）
次に、実施の形態３にかかる受信装置について説明する。本実施の形態３にかかる受信装置は、実施の形態２と同様にダミー信号を生成する機構を内部に備えると共に、性能検査時において、受信用アンテナ２ａ〜２ｈの一部をダミー信号を送信する送信アンテナとして機能させる構成を有する。
【００７１】
図６は、本実施の形態３にかかる受信装置の全体構成を示すブロック図である。図６に示すように、本実施の形態３にかかる受信装置３５は、実施の形態１の構成に加え、実施の形態２と同様にモード切替スイッチ３０、ダミー信号生成部３１および送信ユニット３２を備えた構成を有する。一方で、本実施の形態３にかかる受信装置３５は、実施の形態１等におけるアンテナ選択ユニット４に代えて受信アンテナ選択部４ａのみならず送信アンテナ選択部３６ａおよび受信アンテナ逐次選択部３６ｂを備えたアンテナ選択ユニット３６を有する。送信アンテナ選択部３６ａは、受信用アンテナ２ａ〜２ｈの性能検査時において受信用アンテナ２ａ〜２ｈの中からダミー信号送信用のアンテナを選択するためのものである。また、受信アンテナ逐次選択部３６ｂは、性能検査時において、送信アンテナ選択部３６ａによって選択されなかった受信用アンテナ２について、順次選択するためのものである。
【００７２】
次に、本実施の形態３にかかる受信装置３５の動作について説明する。図７は、本実施の形態３にかかる受信装置３５を用いた検査システムの構成を示す模式図である。図７に示すように、受信装置３５は、性能検査時にはリアルタイム出力部９を介してモニタ装置２０と接続された状態で使用され、モニタ装置２０は、検査結果を表示部２４を介して表示する機能を有する。なお、実施の形態２と同様に、受信装置３５が表示機能をも内包する構成としても良い。
【００７３】
受信用アンテナ２ａ〜２ｈの性能検査時には、モード切替スイッチ３０は、信号処理ユニット６の出力先をリアルタイム出力部９となるよう制御すると共に、アンテナ選択ユニット３６において、送信アンテナ選択部３６ａおよび受信アンテナ逐次選択部３６ｂが駆動するよう制御を行う。また、モード切替スイッチ３０から出力される情報に基づいて、ダミー信号生成部３１はダミー信号の生成を開始し、送信ユニット３２を介して変調処理等が施されたダミー信号がアンテナ選択ユニット３６に出力される。従って、性能検査時における受信装置３５は、図７に示す態様で動作することとなる。
【００７４】
送信アンテナ選択部３６ａは、受信用アンテナ２ａ〜２ｈの中から、ダミー信号の送信に使用するものを選択する。かかる選択においては、所定のアルゴリズムによって選択することとしても良いし、ランダムに選択することとしても良い。図７の例では、送信アンテナ選択部３６ａは、ダミー信号を送信するものとして、受信用アンテナ２ａを選択した場合を示している。
【００７５】
一方、受信アンテナ逐次選択部３６ｂは、送信アンテナ選択部３６ａによって選択された受信用アンテナ２ａ以外の受信用アンテナ２ｂ〜２ｈについて順次選択する。かかる選択は、実施の形態１における逐次アンテナ選択部４ｂと同様であって、受信用アンテナ２ｂ〜２ｈにおけるダミー信号の受信強度とは無関係に、所定の順序に従って検査対象の受信用アンテナ２を順次選択する。受信アンテナ逐次選択部３６ｂによって受信用アンテナ２ｂ〜２ｈが順次選択されて性能検査が行われることによって、実施の形態１、２と同様に、受信用アンテナ２ｂ〜２ｈのいずれかに断線等の問題が生じているか否かを判定することが可能である。
【００７６】
ここで、送信アンテナ選択部３６ａによって選択された受信用アンテナ２ａの性能検査については次のように行われる。まず、受信用アンテナ２ａからダミー信号が確実に送信されている場合には、受信用アンテナ２ａ内部において断線等が生じていることはなく、性能に問題はないと判断することができる。このため、受信用アンテナ２ｂ〜２ｈのいずれかがダミー信号を受信できていた場合には、受信用アンテナ２ａからダミー信号が確実に送信されていることとなり、受信用アンテナ２ａの性能に問題はないと判断できる。
【００７７】
一方で、受信用アンテナ２ｂ〜２ｈのすべてについてダミー信号が受信できなかった場合には、受信用アンテナ２ｂ〜２ｈのいずれもが故障していたためにダミー信号の受信が行われなかったのか、受信用アンテナ２ａが故障してダミー信号の送信がなされなかったのかを判別することは困難である。このため、本実施の形態３にかかる受信装置３５は、かかる検査結果が得られた場合には、送信アンテナ選択部３６ａが受信用アンテナ２ａと異なる受信用アンテナ、例えば受信用アンテナ２ｂを選択し、受信用アンテナ２ｂを介して受信用アンテナ２ａ、２ｃ〜２ｈに対してダミー信号の送信を行うことによって再度性能検査を行うこととしている。
【００７８】
かかる検査において、受信用アンテナ２ｂ〜２ｈが故障しているならば、受信用アンテナ２ａ、２ｃ〜２ｈのいずれを選択した場合にもダミー信号の受信は行われないこととなる。一方で、受信用アンテナ２ａが故障していた場合には、受信用アンテナ２ｃ〜２ｈについては、それぞれのアンテナにおける故障の有無に対応して異なる検査結果が得られることとなる。
【００７９】
次に、本実施の形態３にかかる受信装置３５の利点について説明する。本実施の形態３にかかる受信装置３５は、実施の形態１と同様の利点を有する他、簡易な構成で性能検査を行えるという利点を有する。すなわち、受信用アンテナ２ａ〜２ｈの一部を性能検査時におけるダミー信号の送信アンテナとして利用する構成としたことにより、性能検査用に新たに送信アンテナを設ける必要が無く、受信装置３５の装置構成の複雑化、大型化を回避することができる。
【００８０】
なお、受信用アンテナ２ａ〜２ｈの一部をダミー信号の送信アンテナとして用いることとした場合であっても、受信用アンテナ２ａ〜２ｈの構成については、特に変更する必要はない。受信用アンテナ２ａ〜２ｈは、実施の形態１においても説明したように例えばループアンテナおよびコンデンサによって形成される共振回路を備えており、共振回路の共振周波数近傍の周波数の無線信号が外部から入射することによって無線信号を受信する。一方で、かかる共振回路に対して共振周波数近傍の電気信号を受信装置３５側から供給することによって無線送信アンテナとして機能させることが原理的に可能である。
【００８１】
また、受信用アンテナ２ａ〜２ｈは、それぞれカプセル型内視鏡１６から送信される無線信号を受信するために形成されることから、かかる無線信号の周波数とほぼ等しい共振周波数を有するようあらかじめ共振回路が形成されている。そして、共振回路の共振周波数は、無線信号受信時とダミー信号送信時とで等しいことから、例えば受信用アンテナ２ａを介してダミー信号を送信した場合に、送信されるダミー信号の周波数が受信用アンテナ２ｂ〜２ｈの共振周波数と著しく異なる値となるおそれもない。従って、本実施の形態３において、受信用アンテナ２ａ〜２ｈを特別な構成によって実現する必要はなく、カプセル型内視鏡１６等の被検体内導入装置から送信される無線信号を受信する一般的な受信用アンテナであれば、本実施の形態３にかかる受信装置３５による性能検査の対象とすることが可能である。
【図面の簡単な説明】
【００８２】
【図１】実施の形態１にかかる受信装置の全体構成を示すブロック図である。
【図２】実施の形態１にかかる受信装置を用いた被検体内情報取得システムの全体構成を示す模式図である。
【図３】実施の形態１にかかる受信装置を用いた検査システムの一例の全体構成を示すブロック図である。
【図４】実施の形態１にかかる受信装置を用いた検査システムの他の例の全体構成を示すブロック図である。
【図５】実施の形態２にかかる受信装置の全体構成を示すブロック図である。
【図６】実施の形態３にかかる受信装置の全体構成を示すブロック図である。
【図７】実施の形態３にかかる受信装置を用いた検査システムの構成を示すブロック図である。
【符号の説明】
【００８３】
１      受信装置
２ａ〜２ｈ  受信用アンテナ
３ａ    給電用アンテナ
４      アンテナ選択ユニット
４ａ    受信アンテナ選択部
４ｂ    逐次アンテナ選択部
５      ＲＦ受信ユニット
６      信号処理ユニット
７      モード切替スイッチ
８      記憶ユニット
９      リアルタイム出力部
１０    発振器
１１    コントロール情報入力ユニット
１２    重畳回路
１３    増幅回路
１４    電力供給ユニット
１５    被検体
１６    カプセル型内視鏡
１７    表示装置
１８    携帯型記録媒体
１９    リアルタイム出力部
２０    モニタ装置
２１    ダミー信号送信装置
２２    入力部
２３    信号処理部
２４    表示部
２５    検査装置
２６    ダミー信号生成部
２７    送信ユニット
２８    送信アンテナ
２９    受信装置
３０    モード切替スイッチ
３１    ダミー信号生成部
３２    送信ユニット
３３    検査用アンテナ
３４    リアルタイム表示部
３５    受信装置
３６    アンテナ選択ユニット
３６ａ  送信アンテナ選択部
３６ｂ  受信アンテナ逐次選択部
【図１】
2005218704.tif 000003
【図２】
2005218704.tif 000004
【図３】
2005218704.tif 000005
【図４】
2005218704.tif 000006
【図５】
2005218704.tif 000007
【図６】
2005218704.tif 000008
【図７】
2005218704.tif 000009